(57)【特許請求の範囲】
【請求項１】
連絡電線(１０)を介して接続された室内ユニット(１)と室外ユニット(２)とを有する空気調和機において、
上記連絡電線(１０)の長さに基づいて、上記連絡電線(１０)による電圧降下量を推定する電圧降下推定手段(３３b)と、
上記室内ユニット(１)から上記連絡電線(１０)を介して電力供給されるアクチュエータと、
上記電圧降下推定手段(３３b)により推定された電圧降下量の大小に応じて入力電力が大小になるように、上記アクチュエータの入力電力を制御する入力電力制御手段(３３a)とを備えたことを特徴とする空気調和機。
【請求項２】
請求項１に記載の空気調和機において、
上記電圧降下推定手段(３３b)は、上記連絡電線長に相当する配管長に基づいて電圧降下量を推定することを特徴とする空気調和機。
【請求項３】
請求項１または２に記載の空気調和機において、
上記電圧降下推定手段(３３b)は、圧縮機のオフ時よりもオン時のときの電圧降下量が大きくなるようにしたことを特徴とする空気調和機。
【請求項４】
請求項１乃至３のいずれか１つに記載の空気調和機において、
上記アクチュエータがヒータ(１７)であることを特徴とする空気調和機。
【請求項５】
請求項１乃至４のいずれか１つに記載の空気調和機に加湿ユニット(３)を備えた加湿機能を有する空気調和機であって、
上記アクチュエータが上記加湿ユニット(３)に用いられたヒータ(１７)であることを特徴とする加湿機能を有する空気調和機。
【発明の詳細な説明】
【０００１】
【発明の属する技術分野】
この発明は、連絡電線により接続された室内ユニットと室外ユニットとを有する空気調和機および加湿機能を有する空気調和機に関する。
【０００２】
【従来の技術および発明が解決しようとする課題】
従来、空気調和機としては、連絡電線により接続された室内ユニットと室外ユニットとを有し、室内ユニット側から連絡電線を介して室外ユニットに電力を供給するものがある。この空気調和機では、室外ユニット内の圧縮機が運転されると、連絡電線に流れる電流が増加し、室外ユニット側で電圧降下が発生する。このとき、室外ユニット内に電圧変動による影響の大きい部品(加湿ユニットのヒータ等)を使っている場合、圧縮機のオンオフに関わらずその機能が保障されるように安全率を大きくとって設計する必要があり、その部品の機能を十分に活用できなくなる。例えば、加湿ユニットのヒータの場合、電圧降下しても加湿量を確保できる出力のヒータを使う必要があり、そのようなヒータを用いると、電圧降下しないときは、逆に消費電力が増大したり、ヒータが温度上昇し過ぎたりするという問題がある。
【０００３】
そこで、この発明の目的は、電圧降下に影響されることなく安定した動作ができると共に、消費電力を低減できる空気調和機および加湿機能を有する空気調和機を提供することにある。
【０００４】
【課題を解決するための手段】
上記目的を達成するため、請求項１の空気調和機は、連絡電線を介して接続された室内ユニットと室外ユニットとを有する空気調和機において、上記連絡電線の長さに基づいて、上記連絡電線による電圧降下量を推定する電圧降下推定手段と、上記室内ユニットから上記連絡電線を介して電力供給されるアクチュエータと、上記電圧降下推定手段により推定された電圧降下量の大小に応じて入力電力が大小になるように、上記アクチュエータの入力電力を制御する入力電力制御手段とを備えたことを特徴としている。
【０００５】
上記請求項１の空気調和機によれば、上記連絡電線長に基づいて連絡電線による電圧降下量を電圧降下推定手段により推定し、推定された電圧降下量の大小に応じて入力電力が大小になるように、入力電力制御手段によりアクチュエータの入力電力を制御することによって、電圧降下に影響されることなく安定したアクチュエータ動作が可能となり、それによって消費電力の増大も抑えることができる。
【０００６】
また、請求項２の空気調和機は、請求項１の空気調和機において、上記電圧降下推定手段は、上記連絡電線長に相当する配管長に基づいて電圧降下量を推定することを特徴としている。
【０００７】
上記請求項２の空気調和機によれば、上記電圧降下推定手段により連絡電線長に相当する配管長に基づいて電圧降下量を推定するので、配管長が設定されていれば連絡電線長を設定する必要がない。
【０００８】
また、請求項３の空気調和機は、請求項１または２の空気調和機において、上記電圧降下推定手段は、圧縮機のオフ時よりもオン時のときの電圧降下量が大きくなるようにしたことを特徴としている。
【０００９】
上記請求項３の空気調和機によれば、圧縮機のオフ時よりもオン時の方が上記連絡電線に流れる電流が大きくなって、連絡電線による電圧降下量が大きくなるので、上記電圧降下推定手段は、圧縮機のオフ時よりもオン時のときの電圧降下量が大きくなるようにする。したがって、圧縮機のオンオフに応じた最適な電圧降下量を推定できる。
【００１０】
また、請求項４の空気調和機は、請求項１乃至３のいずれか１つの空気調和機において、上記アクチュエータがヒータであることを特徴としている。
【００１１】
上記請求項４の空気調和機によれば、上記ヒータの入力電力を上記電圧降下推定手段により制御することによって、電圧降下に影響されることなく安定したヒータ動作ができると共に、不要なヒータの温度上昇を抑制して消費電力を低減することができる。
【００１２】
また、請求項５の加湿機能を有する空気調和機は、請求項１乃至４のいずれか１つの空気調和機に加湿ユニットを備えた加湿機能を有する空気調和機であって、上記アクチュエータが上記加湿ユニットに用いられたヒータであることを特徴としている。
【００１３】
上記請求項５の加湿機能を有する空気調和機によれば、上記電圧降下推定手段により推定された電圧降下量に基づいて、上記加湿ユニットのヒータの入力電力を上記入力電力制御手段により制御することによって、電圧降下に影響されることなく安定した加湿動作ができると共に、不要なヒータの温度上昇を抑制して消費電力を低減できる。
【００１４】
【発明の実施の形態】
以下、この発明の空気調和機および加湿機能を有する空気調和機を図示の実施の形態により詳細に説明する。
【００１５】
図１はこの発明の実施の一形態の加湿機能を有する空気調和機の要部のブロック図であり、この空気調和機は、室内ユニット１と、室外ユニット２と、上記室外ユニット２の上部に配置された加湿ユニット３とを備えている。上記室内ユニット１と加湿ユニット３とを連絡電線１０を介して接続している。
【００１６】
また、図２は図１の要部のブロック図を示しており、加湿ユニット３は、ケーシング(図示せず)内に円板状の加湿ロータ１１を配置している。この加湿ロータ１１は、シリカゲル，ゼオライト，アルミナ等の吸着材が例えばハニカム状または多孔多粒状に成形されており、軸１１aを中心に加湿ロータ用モータ１２によって回転する。また、上記ケーシング内を仕切り板(図示せず)で仕切って、加湿ロータ１１の各部を経由する吸着通路Ａと脱着通路Ｂとを形成している。上記吸着通路Ａの加湿ロータ１１よりも下流側に吸着ファン１３を設け、その吸着ファン１３を駆動する吸着ファン用モータ１４を設けている。上記加湿ロータ１１は、吸着通路Ａを矢印の方向に流れる空気から吸湿する(水分を吸着する)。
【００１７】
一方、上記脱着通路Ｂの加湿ロータ１１よりも下流側に脱着ファン１５を設け、その脱着ファン１５を駆動する脱着ファン用モータ１６を設けて、空気を矢印に示すように吸引して流すようにしている。上記脱着通路Ｂの加湿ロータ１１よりも上流側の部分にヒータ１７を設けて、このヒータ１７で加熱された空気が加湿ロータ１１を通るときに、加湿ロータ１１によって加湿される(加湿ロータ１１から水分を脱着する)。このように、上記吸着通路Ａの空気から加湿ロータ１１が吸着した水分は、ヒータ１７によって加熱された空気によって脱着されて、この空気が加湿される。そうして加湿された空気は、脱着ファン１５によって加湿ダクト４に送られ、加湿ダクト４を介して室内ユニット１に供給される。
【００１８】
また、図２において、３１は室内ファン(図示せず)等を制御する室内制御部、３２は圧縮機(図示せず)等を制御する室外制御部、３３は上記室外制御部３２からの信号を受けて、加湿運転を制御する加湿運転制御部である。上記室外ユニット２(図１に示す)の室外制御部３２は、室内ユニット１(図１に示す)の室内制御部３１から連絡電線１０を介して電力が供給される。上記室外制御部３２は、連絡電線１０の長さを設定する設定手段３２aを有している。上記加湿運転制御部３３は、加湿ロータ用モータ１２,吸着ファン用モータ１４,脱着ファン用モータ１６およびヒータ１７を制御する。なお、上記加湿運転制御部３３は、室外制御部３２を介してヒータ１７に印加される電圧をオンオフする入力電力制御手段としての半導体スイッチ３３aと、連絡電線長に基づいて電圧降下量を推定する電圧降下推定手段３３bとを有している。
【００１９】
図３は上記空気調和機の処理を説明するフローチャートである。
【００２０】
まず、処理がスタートすると、ステップＳ１で設定手段３２aにより連絡電線長を入力する。
【００２１】
次に、ステップＳ２に進み、圧縮機の運転中か否かを判別して、圧縮機の運転中であると判別すると、ステップＳ３に進み、電圧降下推定手段３３bにより圧縮機使用電流と連絡電線長によって電圧降下量を算出して、ステップＳ５に進む。
【００２２】
一方、ステップＳ２で圧縮機の運転中でないと判別すると、ステップＳ４に進み、連絡電線長によって電圧降下量を算出して、ステップＳ５に進む。
【００２３】
そして、ステップＳ５で算出した電圧降下量によってヒータ出力を調整する。すなわち、図４に示すように、所定の周期で半導体スイッチ３３aを繰り返しオンオフして、上記電圧降下量の大小に応じてオン時間を長短に調整し、半導体スイッチ３３aのオン時に通電し、半導体スイッチ３３aのオフ時に通電をカットすることによって、ヒータ１７への入力電力を調整する。
【００２４】
このように、上記加湿機能を有する空気調和機では、電圧降下に影響されることなく安定したヒータ１７の動作ができると共に、不要なヒータ１７の温度上昇を抑制して消費電力を低減することができる。
【００２５】
また、上記空気調和機では、室内ユニット１と室外ユニット２とを接続する加湿ダクト４と連絡電線１０とは束ねられて、加湿ダクト４の長さと連絡電線１０の長さはほぼ同じになるので、室外制御部３２において、加湿ダクト４の長さをジャンパー等により設定している場合は、その加湿ダクト４の長さを連絡電線長として用いてもよい。これにより、連絡電線長の設定を省略することができる。
【００２６】
上記実施の形態では、アクチュエータとしてヒータ１７を備えた空気調和機について説明したが、アクチュエータはこれに限らず、電圧変動による影響の大きい部品を備えた空気調和機にこの発明を適用してもよい。
【００２７】
また、上記実施の形態では、入力電力制御手段として交流電圧をオンオフする半導体スイッチ３３aを用いたが、入力電力制御手段はこれに限らず、他の構成の入力電力制御手段として用いてもよい。
【００２８】
なお、この発明の空気調和機は、上記実施の形態に限定されるものではなく、他の構成の空気調和機にこの発明を適用してもよいのは勿論である。
【００２９】
【発明の効果】
以上より明らかなように、請求項１の発明の空気調和機は、連絡電線を介して接続された室内ユニットと室外ユニットとを有する空気調和機において、上記連絡電線の長さに基づいて、上記連絡電線による電圧降下量を推定する電圧降下推定手段と、上記室内ユニットから上記連絡電線を介して電力供給されるアクチュエータと、上記電圧降下推定手段により推定された電圧降下量の大小に応じて入力電力が大小になるように、上記アクチュエータの入力電力を制御する入力電力制御手段とを備えたものである。
【００３０】
したがって、請求項１の発明の空気調和機によれば、上記連絡電線長に基づいて電圧降下推定手段により推定された電圧降下量の大小に応じて入力電力が大小になるように、入力電力制御手段によりアクチュエータの入力電力を制御することによって、電圧降下に影響されることなく安定したアクチュエータ動作ができると共に、消費電力を低減することができる。
【００３１】
また、請求項２の発明の空気調和機は、請求項１の空気調和機において、上記電圧降下推定手段により連絡電線長に相当する配管長に基づいて電圧降下量を推定することによって、配管長が設定されていれば連絡電線長を設定する必要がない。
【００３２】
また、請求項３の発明の空気調和機は、請求項１または２の空気調和機において、上記電圧降下推定手段は、圧縮機のオフ時よりもオン時のときの電圧降下量が大きくなるようにすることによって、圧縮機のオンオフに応じた最適な電圧降下量を推定することができる。
【００３３】
また、請求項４の発明の空気調和機は、請求項１乃至３のいずれか１つの空気調和機において、上記アクチュエータであるヒータの入力電力を上記電圧降下推定手段により制御することによって、電圧降下に影響されることなく安定したヒータ動作ができると共に、不要なヒータの温度上昇を抑制して消費電力を低減することができる。
【００３４】
また、請求項５の発明の加湿機能を有する空気調和機は、請求項１乃至４のいずれか１つの空気調和機に加湿ユニットを備えた加湿機能を有する空気調和機であって、上記加湿ユニットに用いられたヒータの入力電力を、上記電圧降下推定手段により推定された電圧降下量に基づいて上記入力電力制御手段により制御することによって、電圧降下に影響されることなく安定した加湿動作を行うことができると共に、不要なヒータの温度上昇を抑制して消費電力を低減することができる。
【図面の簡単な説明】
【図１】図１はこの発明の実施の一形態の加湿機能を有する空気調和機の概略ブロック図である。
【図２】図２は上記空気調和機の要部の構成図である。
【図３】図３は上記空気調和機の動作を説明するフローチャートである。
【図４】図４は上記空気調和機の加湿ユニットのヒータに印加される電圧の波形を示す図である。
【符号の説明】
１…室内ユニット、
２…室外ユニット、
３…加湿ユニット、
４…加湿ダクト、
１０…連絡電線、
１１…加湿ロータ、
１２…加湿ロータ用モータ、
１３…吸着ファン、
１４…吸着ファン用モータ、
１５…脱着ファン、
１６…脱着ファン用モータ、
１７…ヒータ、
３１…室内制御部、
３２…室外制御部、
３２a…設定手段、
３３…加湿運転制御部、
３３a…半導体スイッチ、
３３b…電圧降下推定手段。
【図１】
0003596498.tif 000002
【図２】
0003596498.tif 000003
【図３】
0003596498.tif 000004
【図４】
0003596498.tif 000005